(57)【要約】【課題】カラー原稿におけるカラー情報をモノクロ画像で表現することができ、かつ、鮮明なカラー画像を再生することができる画像処理装置、画像処理システムを提供する。【解決手段】複合機１００は、カラー原稿１からカラー画像データを読み取り、カラー画像データに含まれる対象画像の色情報および位置情報を特定する。複合機１００は、色情報および位置情報を埋め込んだモノクロ画像データを生成し、モノクロ印刷物２として出力する。ファクシミリ３００は、モノクロ印刷物２のモノクロ画像データを読込み、電話回線４００を介して、ファクシミリ５００に送信し、モノクロ印刷物３を出力する。複合機２００は、モノクロ印刷物３のモノクロ画像データを読込み、モノクロ画像データから色情報と位置情報を抽出する。複合機２００は、モノクロ画像データと抽出された色情報および位置情報からカラー画像データを生成して、カラー印刷物４を出力する。【選択図】        図１
2007060439.tif 000002
【特許請求の範囲】
【請求項１】
画像を含む原稿情報を取得する原稿情報取得手段と、
前記原稿情報取得手段によって取得された前記原稿情報に含まれる前記画像の色を示す色情報を特定する色情報特定手段と、
前記原稿情報取得手段によって取得された前記原稿情報に含まれる前記画像が配置された位置を示す位置情報を特定する位置情報特定手段と、
前記色情報特定手段によって特定された前記色情報に基づいて、前記原稿情報取得手段によって取得された前記原稿情報に含まれる前記画像をモノクロで示すモノクロ画像情報を生成するモノクロ画像生成手段と、
前記モノクロ画像生成手段によって生成された前記モノクロ画像情報に、前記色情報特定手段によって特定された前記色情報および前記位置情報特定手段によって特定された前記位置情報を埋め込んだ印刷情報付モノクロ画像情報を生成する印刷情報埋込手段と、
を備えることを特徴とする画像処理装置。
【請求項２】
前記原稿情報取得手段によって取得された前記原稿情報の中の画素値を二値化した二値画像情報を生成する二値画像情報生成手段と、
前記二値画像情報生成手段によって生成された前記二値画像情報から同一の画素値を持つ画素の連結したひとまとまりの領域を前記画像として特定する対象画像特定手段と、をさらに備え、
前記色情報特定手段は、前記対象画像特定手段によって特定された前記画像の前記色情報を特定し、
前記位置情報特定手段は、前記対象画像特定手段によって特定された前記画像の前記位置情報を特定すること、を特徴とする請求項１に記載の画像処理装置。
【請求項３】
前記対象画像特定手段は、抽出された複数の前記画像の前記色情報に基づいて、同一色とみなせる範囲か否かを判定し、同一色とみなせる範囲であると判定した場合には、複数の前記画像を１つの画像として特定すること、を特徴とする請求項２に記載の画像処理装置。
【請求項４】
前記印刷情報埋込手段は、前記色情報特定手段によって特定された前記画像の前記色情報が黒でない場合に、当該色の前記色情報および、対応する前記位置情報を前記モノクロ画像情報に埋め込むこと、を特徴とする請求項１〜３のいずれか一つに記載の画像処理装置。
【請求項５】
前記印刷情報埋込手段によって生成された前記印刷情報付モノクロ画像情報を印刷する印刷手段、をさらに備えることを特徴とする請求項１〜４のいずれか一つに記載の画像処理装置。
【請求項６】
画像を含む文書情報を記憶する文書情報記憶手段と、
前記文書情報記憶手段に記憶された前記文書情報に含まれる前記画像の色を示す色情報を特定する色情報特定手段と、
前記文書情報記憶手段に記憶された前記文書情報に含まれる前記画像が配置された位置を示す位置情報を特定する位置情報特定手段と、
前記色情報特定手段によって特定された前記色情報に基づいて、前記文書情報記憶手段に記憶された前記文書情報に含まれる前記画像をモノクロで示すモノクロ画像情報を生成するモノクロ画像生成手段と、
前記モノクロ画像生成手段によって生成された前記モノクロ画像情報に、前記色情報特定手段によって特定された前記色情報および前記位置情報特定手段によって特定された前記位置情報を埋め込んだ印刷情報付モノクロ画像情報を生成する印刷情報埋込手段と、
を備えることを特徴とする画像処理装置。
【請求項７】
画像を含む原稿情報を取得する原稿情報取得手段と、
前記原稿情報取得手段によって取得された前記原稿情報に含まれる前記画像の色を示す色情報を特定する色情報特定手段と、
前記原稿情報取得手段によって取得された前記原稿情報に含まれる前記画像が配置された位置を示す位置情報を特定する位置情報特定手段と、
前記色情報特定手段によって特定された前記色情報に基づいて、前記原稿情報取得手段によって取得された前記原稿情報に含まれる前記画像をモノクロで示すモノクロ画像情報を生成するモノクロ画像生成手段と、
前記モノクロ画像生成手段によって生成された前記モノクロ画像情報に、前記色情報特定手段によって特定された前記色情報および前記位置情報特定手段によって特定された前記位置情報を埋め込んだ印刷情報付モノクロ画像情報を生成する印刷情報埋込手段と、
前記印刷情報埋込手段によって生成された前記印刷情報付モノクロ画像情報を、電話回線を介して他のファクシミリ装置に送信する送信手段と、
を備えることを特徴とするファクシミリ装置。
【請求項８】
画像をモノクロで示すモノクロ画像情報に前記画像の色を示す色情報および前記画像が配置された位置を示す位置情報が埋め込まれた印刷情報付モノクロ画像情報を取得する画像情報取得手段と、
前記画像情報取得手段によって取得された前記印刷情報付モノクロ画像情報から前記モノクロ画像情報、前記色情報および前記位置情報を抽出する情報抽出手段と、
前記情報抽出手段によって抽出された前記モノクロ画像情報において、前記位置情報が示す位置に配置された前記画像を前記色情報が示す色で示したカラー画像情報を生成するカラー画像情報生成手段と、
を備えることを特徴とする画像処理装置。
【請求項９】
前記モノクロ画像情報取得手段は、印刷物から前記印刷情報付モノクロ画像情報を取得すること、を特徴とする請求項８に記載の画像処理装置。
【請求項１０】
前記カラー画像生成手段によって生成された前記カラー画像情報を印刷する印刷手段、をさらに備えることを特徴とする請求項８または請求項９に記載の画像処理装置。
【請求項１１】
画像をモノクロで示すモノクロ画像情報に、前記画像の色を示す色情報および前記画像が配置された位置を示す位置情報が埋め込まれた印刷情報付モノクロ画像情報を他のファクシミリ装置から受信する受信手段と、
前記受信手段によって受信された前記印刷情報付モノクロ画像情報から前記モノクロ画像情報、前記色情報および前記位置情報を抽出する情報抽出手段と、
前記情報抽出手段によって抽出された前記モノクロ画像情報において、前記位置情報が示す位置に配置された前記画像を前記色情報が示す色で示したカラー画像情報を生成するカラー画像情報生成手段と、
前記カラー画像情報生成手段によって生成された前記カラー画像情報を印刷する印刷手段と、
を備えることを特徴とするファクシミリ装置。
【請求項１２】
印刷物を出力する第１の画像処理装置と、前記第１の画像処置装置によって出力された印刷物を用いる第２の画像処理装置とを備える画像処理システムにおいて、
前記第１の画像処理装置は、
画像を含む原稿情報を取得する原稿情報取得手段と、
前記原稿情報取得手段によって取得された前記原稿情報に含まれる前記画像の色を示す色情報を特定する色情報特定手段と、
前記原稿情報取得手段によって取得された前記原稿情報に含まれる前記画像が配置された位置を示す位置情報を特定する位置情報特定手段と、
前記色情報特定手段によって特定された前記色情報に基づいて、前記原稿情報取得手段によって取得された前記原稿情報に含まれる前記画像をモノクロで示すモノクロ画像情報を生成するモノクロ画像生成手段と、
前記モノクロ画像生成手段によって生成された前記モノクロ画像情報に、前記色情報特定手段によって特定された前記色情報および前記位置情報特定手段によって特定された前記位置情報を埋め込んだ印刷情報付モノクロ画像情報を生成する印刷情報埋込手段と、
前記印刷情報埋込手段によって生成された前記印刷情報付モノクロ画像情報を印刷する印刷手段と、を備え、
前記第２の画像処理装置は、
前記第１の画像処理装置によって印刷された印刷物から前記印刷情報付モノクロ画像情報を取得する画像情報取得手段と、
前記画像情報取得手段によって取得された前記印刷情報付モノクロ画像情報から前記モノクロ画像情報、前記色情報および前記位置情報を抽出する情報抽出手段と、
前記情報抽出手段によって抽出された前記モノクロ画像情報において、前記位置情報が示す位置に配置された前記画像を前記色情報が示す色で示したカラー画像情報を生成するカラー画像情報生成手段と、を備えることを特徴とする画像処理システム。
【請求項１３】
画像情報を送信する第１のファクシミリ装置と、前記第１のファクシミリ装置から送信された前記画像情報を用いて印刷物を出力する第２のファクシミリ装置とを備える画像処理システムにおいて、
前記第１のファクシミリ装置は、
画像を含む原稿情報を取得する原稿情報取得手段と、
前記原稿情報取得手段によって取得された前記原稿情報に含まれる前記画像の色を示す色情報を特定する色情報特定手段と、
前記原稿情報取得手段によって取得された前記原稿情報に含まれる前記画像が配置された位置を示す位置情報を特定する位置情報特定手段と、
前記色情報特定手段によって特定された前記色情報に基づいて、前記原稿情報取得手段によって取得された前記原稿情報に含まれる前記画像をモノクロで示すモノクロ画像情報を生成するモノクロ画像生成手段と、
前記モノクロ画像生成手段によって生成された前記モノクロ画像情報に、前記色情報特定手段によって特定された前記色情報および前記位置情報特定手段によって特定された前記位置情報を埋め込んだ印刷情報付モノクロ画像情報を生成する印刷情報埋込手段と、
前記印刷情報埋込手段によって生成された前記印刷情報付モノクロ画像情報を、電話回線を介して他のファクシミリ装置に送信する送信手段と、を備え、
前記第２のファクシミリ装置は、
前記印刷情報付モノクロ画像情報を前記第１のファクシミリ装置から受信する受信手段と、
前記受信手段によって受信された前記印刷情報付モノクロ画像情報から前記モノクロ画像情報、前記色情報および前記位置情報を抽出する情報抽出手段と、
前記情報抽出手段によって抽出された前記モノクロ画像情報において、前記位置情報が示す位置に配置された前記画像を前記色情報が示す色で示したカラー画像情報を生成するカラー画像情報生成手段と、
前記カラー画像情報生成手段によって生成された前記カラー画像情報を印刷する印刷手段と、を備えることを特徴とする画像処理システム。
【請求項１４】
画像を含む原稿情報を取得する原稿情報取得ステップと、
前記原稿情報取得ステップによって取得された前記原稿情報に含まれる前記画像の色を示す色情報を特定する色情報特定ステップと、
前記原稿情報取得ステップによって取得された前記原稿情報に含まれる前記画像が配置された位置を示す位置情報を特定する位置情報特定ステップと、
前記色情報特定ステップによって特定された前記色情報に基づいて、前記原稿情報取得ステップによって取得された前記原稿情報に含まれる前記画像をモノクロで示すモノクロ画像情報を生成するモノクロ画像生成ステップと、
前記色情報特定ステップによって特定された前記色情報および前記位置情報特定ステップによって特定された前記位置情報を、前記モノクロ画像生成ステップによって生成された前記モノクロ画像情報に埋め込んだ印刷情報付モノクロ画像情報を生成する印刷情報埋込ステップと、
を有することを特徴とする画像処理方法。
【請求項１５】
画像を含む文書情報を記憶する文書情報記憶手段に記憶された前記文書情報に含まれる前記画像の前記色情報を特定する色情報特定ステップと、
前記文書情報記憶手段に記憶された前記文書情報に含まれる前記画像の前記位置情報を特定する位置情報特定ステップと、
前記色情報特定ステップによって特定された前記色情報に基づいて、前記文書情報記憶手段に記憶された前記文書情報に含まれる前記画像をモノクロで示すモノクロ画像情報を生成するモノクロ画像生成ステップと、
前記色情報特定ステップによって特定された前記色情報および前記位置情報特定ステップによって特定された前記位置情報を、前記モノクロ画像生成ステップによって生成された前記モノクロ画像情報に埋め込んだ印刷情報付モノクロ画像情報を生成する印刷情報埋込ステップと、
を有することを特徴とする画像処理方法。
【請求項１６】
画像を含む原稿情報を取得する原稿情報取得ステップと、
前記原稿情報取得ステップによって取得された前記原稿情報に含まれる前記画像の色を示す色情報を特定する色情報特定ステップと、
前記原稿情報取得ステップによって取得された前記原稿情報に含まれる前記画像が配置された位置を示す位置情報を特定する位置情報特定ステップと、
前記色情報特定ステップによって特定された前記色情報に基づいて、前記原稿情報取得ステップによって取得された前記原稿情報に含まれる前記画像をモノクロで示すモノクロ画像情報を生成するモノクロ画像生成ステップと、
前記色情報特定ステップによって特定された前記色情報および前記位置情報特定ステップによって特定された前記位置情報を、前記モノクロ画像生成ステップによって生成された前記モノクロ画像情報に埋め込んだ印刷情報付モノクロ画像情報を生成する印刷情報埋込ステップと、
前記印刷情報埋込ステップによって生成された前記印刷情報付モノクロ画像情報を、電話回線を介して他のファクシミリ装置に送信する送信ステップと、
を有することを特徴とする画像処理方法。
【請求項１７】
画像をモノクロで示すモノクロ画像情報に前記画像の色を示す色情報および前記画像が配置された位置を示す位置情報が埋め込まれた印刷情報付モノクロ画像情報を取得する画像情報取得ステップと、
前記画像情報取得ステップによって取得された前記印刷情報付モノクロ画像情報から前記モノクロ画像情報、前記色情報および前記位置情報を抽出する情報抽出ステップと、
前記情報抽出ステップによって抽出された前記モノクロ画像情報において、前記位置情報が示す位置に配置された前記画像を前記色情報が示す色で示したカラー画像情報を生成するカラー画像情報生成ステップと、
を有することを特徴とする画像処理方法。
【請求項１８】
画像をモノクロで示すモノクロ画像情報に、前記画像の色を示す色情報および前記画像が配置された位置を示す位置情報が埋め込まれた印刷情報付モノクロ画像情報を他のファクシミリ装置から受信する受信ステップと、
前記受信ステップによって受信された前記印刷情報付モノクロ画像情報から前記モノクロ画像情報、前記色情報および前記位置情報を抽出する情報抽出ステップと、
前記情報抽出ステップによって抽出された前記モノクロ画像情報において、前記位置情報が示す位置に配置された前記画像を前記色情報が示す色で示したカラー画像情報を生成するカラー画像情報生成ステップと、
前記カラー画像情報生成ステップによって生成された前記カラー画像情報を印刷する印刷ステップと、
を有することを特徴とする画像処理方法。
【請求項１９】
請求項１４〜１８のいずれか一つに記載された画像処理方法をコンピュータに実行させることを特徴とする画像処理プログラム。
【発明の詳細な説明】
【技術分野】
【０００１】
本発明は、カラー原稿におけるカラー情報をモノクロ画像で表現する画像処理装置、ファクシミリ装置、画像処理システム、画像処理方法、および画像処理プログラムに関するものである。
【背景技術】
【０００２】
従来、カラー原稿を送信する方法としてカラーファクシミリの利用が一般に知られている。しかし、カラーファクシミリは、モノクロファクシミリよりも高価であるため、まだ広く普及しているとは言えず、カラーファクシミリでカラー原稿を送信しても、相手がモノクロファクシミリである場合には、カラー原稿を得られないという問題があった。
【０００３】
このような問題を解決するものとして、カラー画像を二値化した二値画像を生成し、かかる二値画像をＣＭＹ（シアン、マゼンタ、イエロー）のインク特性に応じた網点パターンで網点化した後、符号化して送信するカラーファクシミリ装置が開示されている（特許文献１参照）。かかるカラーファクシミリ装置では、カラー画像のカラー情報が網点に埋め込まれているため、画像情報を受信するファクシミリがモノクロであっても、受信したモノクロ画像からカラー情報を得ることができ、カラー画像を再現することができる。
【０００４】
【特許文献１】特開２００５−８００３４号公報
【発明の開示】
【発明が解決しようとする課題】
【０００５】
しかしながら、上記特許文献１では、色情報を付加した二値画像は網点化されるため、二値画像の網点から色情報を取り出し、カラー画像を再生すると、網点化された二値画像に色が付加されるため、網点化されていない二値画像に比べて実質的に画像の解像度が低下してしまうという問題があった。特に、文字の場合は、網点で表現することによって輪郭ににじみがでると、文字認識に支障が生じてしまう場合がある。
【０００６】
本発明は、上記に鑑みてなされたものであって、鮮明なカラー画像を再生することができる画像処理装置、ファクシミリ装置、画像処理システム、画像処理方法、および画像処理プログラムを提供することを目的とする。
【課題を解決するための手段】
【０００７】
上述した課題を解決し、目的を達成するために、請求項１にかかる発明は、画像を含む原稿情報を取得する原稿情報取得手段と、前記原稿情報取得手段によって取得された前記原稿情報に含まれる前記画像の色を示す色情報を特定する色情報特定手段と、前記原稿情報取得手段によって取得された前記原稿情報に含まれる前記画像が配置された位置を示す位置情報を特定する位置情報特定手段と、前記色情報特定手段によって特定された前記色情報に基づいて、前記原稿情報取得手段によって取得された前記原稿情報に含まれる前記画像をモノクロで示すモノクロ画像情報を生成するモノクロ画像生成手段と、前記モノクロ画像生成手段によって生成された前記モノクロ画像情報に、前記色情報特定手段によって特定された前記色情報および前記位置情報特定手段によって特定された前記位置情報を埋め込んだ印刷情報付モノクロ画像情報を生成する印刷情報埋込手段と、を備えることを特徴とする。
【０００８】
また、請求項２にかかる発明は、請求項１に記載の画像処理装置において、前記原稿情報取得手段によって取得された前記原稿情報の中の画素値を二値化した二値画像情報を生成する二値画像情報生成手段と、前記二値画像情報生成手段によって生成された前記二値画像情報から同一の画素値を持つ画素の連結したひとまとまりの領域を前記画像として特定する対象画像特定手段と、をさらに備え、前記色情報特定手段は、前記対象画像特定手段によって特定された前記画像の前記色情報を特定し、前記位置情報特定手段は、前記対象画像特定手段によって特定された前記画像の前記位置情報を特定すること、を特徴とする。
【０００９】
また、請求項３にかかる発明は、請求項２に記載の画像処理装置において、前記対象画像特定手段は、抽出された複数の前記画像の前記色情報に基づいて、同一色とみなせる範囲か否かを判定し、同一色とみなせる範囲であると判定した場合には、複数の前記画像を１つの画像として特定すること、を特徴とする。
【００１０】
また、請求項４にかかる発明は、請求項１〜３のいずれか一つに記載の画像処理装置において、前記印刷情報埋込手段は、前記色情報特定手段によって特定された前記画像の前記色情報が黒でない場合に、当該色の前記色情報および、対応する前記位置情報を前記モノクロ画像情報に埋め込むこと、を特徴とする。
【００１１】
また、請求項５にかかる発明は、請求項１〜４のいずれか一つに記載の画像処理装置において、前記印刷情報埋込手段によって生成された前記印刷情報付モノクロ画像情報を印刷する印刷手段、をさらに備えることを特徴とする。
【００１２】
また、請求項６にかかる発明は、画像を含む文書情報を記憶する文書情報記憶手段と、前記文書情報記憶手段に記憶された前記文書情報に含まれる前記画像の色を示す色情報を特定する色情報特定手段と、前記文書情報記憶手段に記憶された前記文書情報に含まれる前記画像が配置された位置を示す位置情報を特定する位置情報特定手段と、前記色情報特定手段によって特定された前記色情報に基づいて、前記文書情報記憶手段に記憶された前記文書情報に含まれる前記画像をモノクロで示すモノクロ画像情報を生成するモノクロ画像生成手段と、前記モノクロ画像生成手段によって生成された前記モノクロ画像情報に、前記色情報特定手段によって特定された前記色情報および前記位置情報特定手段によって特定された前記位置情報を埋め込んだ印刷情報付モノクロ画像情報を生成する印刷情報埋込手段と、を備えることを特徴とする。
【００１３】
また、請求項７にかかる発明は、画像を含む原稿情報を取得する原稿情報取得手段と、前記原稿情報取得手段によって取得された前記原稿情報に含まれる前記画像の色を示す色情報を特定する色情報特定手段と、前記原稿情報取得手段によって取得された前記原稿情報に含まれる前記画像が配置された位置を示す位置情報を特定する位置情報特定手段と、前記色情報特定手段によって特定された前記色情報に基づいて、前記原稿情報取得手段によって取得された前記原稿情報に含まれる前記画像をモノクロで示すモノクロ画像情報を生成するモノクロ画像生成手段と、前記モノクロ画像生成手段によって生成された前記モノクロ画像情報に、前記色情報特定手段によって特定された前記色情報および前記位置情報特定手段によって特定された前記位置情報を埋め込んだ印刷情報付モノクロ画像情報を生成する印刷情報埋込手段と、前記印刷情報埋込手段によって生成された前記印刷情報付モノクロ画像情報を、電話回線を介して他のファクシミリ装置に送信する送信手段と、を備えることを特徴とする。
【００１４】
また、請求項８にかかる発明は、画像をモノクロで示すモノクロ画像情報に前記画像の色を示す色情報および前記画像が配置された位置を示す位置情報が埋め込まれた印刷情報付モノクロ画像情報を取得する画像情報取得手段と、前記画像情報取得手段によって取得された前記印刷情報付モノクロ画像情報から前記モノクロ画像情報、前記色情報および前記位置情報を抽出する情報抽出手段と、前記情報抽出手段によって抽出された前記モノクロ画像情報において、前記位置情報が示す位置に配置された前記画像を前記色情報が示す色で示したカラー画像情報を生成するカラー画像情報生成手段と、を備えることを特徴とする。
【００１５】
また、請求項９にかかる発明は、請求項８に記載の画像処理装置において、前記モノクロ画像情報取得手段は、印刷物から前記印刷情報付モノクロ画像情報を取得すること、を特徴とする。
【００１６】
また、請求項１０にかかる発明は、請求項８または請求項９に記載の画像処理装置において、前記カラー画像生成手段によって生成された前記カラー画像情報を印刷する印刷手段、をさらに備えることを特徴とする。
【００１７】
また、請求項１１にかかる発明は、画像をモノクロで示すモノクロ画像情報に、前記画像の色を示す色情報および前記画像が配置された位置を示す位置情報が埋め込まれた印刷情報付モノクロ画像情報を他のファクシミリ装置から受信する受信手段と、前記受信手段によって受信された前記印刷情報付モノクロ画像情報から前記モノクロ画像情報、前記色情報および前記位置情報を抽出する情報抽出手段と、前記情報抽出手段によって抽出された前記モノクロ画像情報において、前記位置情報が示す位置に配置された前記画像を前記色情報が示す色で示したカラー画像情報を生成するカラー画像情報生成手段と、前記カラー画像情報生成手段によって生成された前記カラー画像情報を印刷する印刷手段と、を備えることを特徴とする。
【００１８】
また、請求項１２にかかる発明は、印刷物を出力する第１の画像処理装置と、前記第１の画像処置装置によって出力された印刷物を用いる第２の画像処理装置とを備える画像処理システムにおいて、前記第１の画像処理装置は、画像を含む原稿情報を取得する原稿情報取得手段と、前記原稿情報取得手段によって取得された前記原稿情報に含まれる前記画像の色を示す色情報を特定する色情報特定手段と、前記原稿情報取得手段によって取得された前記原稿情報に含まれる前記画像が配置された位置を示す位置情報を特定する位置情報特定手段と、前記色情報特定手段によって特定された前記色情報に基づいて、前記原稿情報取得手段によって取得された前記原稿情報に含まれる前記画像をモノクロで示すモノクロ画像情報を生成するモノクロ画像生成手段と、前記モノクロ画像生成手段によって生成された前記モノクロ画像情報に、前記色情報特定手段によって特定された前記色情報および前記位置情報特定手段によって特定された前記位置情報を埋め込んだ印刷情報付モノクロ画像情報を生成する印刷情報埋込手段と、前記印刷情報埋込手段によって生成された前記印刷情報付モノクロ画像情報を印刷する印刷手段と、を備え、前記第２の画像処理装置は、前記第１の画像処理装置によって印刷された印刷物から前記印刷情報付モノクロ画像情報を取得する画像情報取得手段と、前記画像情報取得手段によって取得された前記印刷情報付モノクロ画像情報から前記モノクロ画像情報、前記色情報および前記位置情報を抽出する情報抽出手段と、前記情報抽出手段によって抽出された前記モノクロ画像情報において、前記位置情報が示す位置に配置された前記画像を前記色情報が示す色で示したカラー画像情報を生成するカラー画像情報生成手段と、を備えることを特徴とする。
【００１９】
また、請求項１３にかかる発明は、画像情報を送信する第１のファクシミリ装置と、前記第１のファクシミリ装置から送信された前記画像情報を用いて印刷物を出力する第２のファクシミリ装置とを備える画像処理システムにおいて、前記第１のファクシミリ装置は、画像を含む原稿情報を取得する原稿情報取得手段と、前記原稿情報取得手段によって取得された前記原稿情報に含まれる前記画像の色を示す色情報を特定する色情報特定手段と、前記原稿情報取得手段によって取得された前記原稿情報に含まれる前記画像が配置された位置を示す位置情報を特定する位置情報特定手段と、前記色情報特定手段によって特定された前記色情報に基づいて、前記原稿情報取得手段によって取得された前記原稿情報に含まれる前記画像をモノクロで示すモノクロ画像情報を生成するモノクロ画像生成手段と、前記モノクロ画像生成手段によって生成された前記モノクロ画像情報に、前記色情報特定手段によって特定された前記色情報および前記位置情報特定手段によって特定された前記位置情報を埋め込んだ印刷情報付モノクロ画像情報を生成する印刷情報埋込手段と、前記印刷情報埋込手段によって生成された前記印刷情報付モノクロ画像情報を、電話回線を介して他のファクシミリ装置に送信する送信手段と、を備え、前記第２のファクシミリ装置は、前記印刷情報付モノクロ画像情報を前記第１のファクシミリ装置から受信する受信手段と、前記受信手段によって受信された前記印刷情報付モノクロ画像情報から前記モノクロ画像情報、前記色情報および前記位置情報を抽出する情報抽出手段と、前記情報抽出手段によって抽出された前記モノクロ画像情報において、前記位置情報が示す位置に配置された前記画像を前記色情報が示す色で示したカラー画像情報を生成するカラー画像情報生成手段と、前記カラー画像情報生成手段によって生成された前記カラー画像情報を印刷する印刷手段と、を備えることを特徴とする。
【００２０】
また、請求項１４にかかる発明は、画像を含む原稿情報を取得する原稿情報取得ステップと、前記原稿情報取得ステップによって取得された前記原稿情報に含まれる前記画像の色を示す色情報を特定する色情報特定ステップと、前記原稿情報取得ステップによって取得された前記原稿情報に含まれる前記画像が配置された位置を示す位置情報を特定する位置情報特定ステップと、前記色情報特定ステップによって特定された前記色情報に基づいて、前記原稿情報取得ステップによって取得された前記原稿情報に含まれる前記画像をモノクロで示すモノクロ画像情報を生成するモノクロ画像生成ステップと、前記色情報特定ステップによって特定された前記色情報および前記位置情報特定ステップによって特定された前記位置情報を、前記モノクロ画像生成ステップによって生成された前記モノクロ画像情報に埋め込んだ印刷情報付モノクロ画像情報を生成する印刷情報埋込ステップと、を有することを特徴とする。
【００２１】
また、請求項１５にかかる発明は、画像を含む文書情報を記憶する文書情報記憶手段に記憶された前記文書情報に含まれる前記画像の前記色情報を特定する色情報特定ステップと、前記文書情報記憶手段に記憶された前記文書情報に含まれる前記画像の前記位置情報を特定する位置情報特定ステップと、前記色情報特定ステップによって特定された前記色情報に基づいて、前記文書情報記憶手段に記憶された前記文書情報に含まれる前記画像をモノクロで示すモノクロ画像情報を生成するモノクロ画像生成ステップと、前記色情報特定ステップによって特定された前記色情報および前記位置情報特定ステップによって特定された前記位置情報を、前記モノクロ画像生成ステップによって生成された前記モノクロ画像情報に埋め込んだ印刷情報付モノクロ画像情報を生成する印刷情報埋込ステップと、を有することを特徴とする。
【００２２】
また、請求項１６にかかる発明は、画像を含む原稿情報を取得する原稿情報取得ステップと、前記原稿情報取得ステップによって取得された前記原稿情報に含まれる前記画像の色を示す色情報を特定する色情報特定ステップと、前記原稿情報取得ステップによって取得された前記原稿情報に含まれる前記画像が配置された位置を示す位置情報を特定する位置情報特定ステップと、前記色情報特定ステップによって特定された前記色情報に基づいて、前記原稿情報取得ステップによって取得された前記原稿情報に含まれる前記画像をモノクロで示すモノクロ画像情報を生成するモノクロ画像生成ステップと、前記色情報特定ステップによって特定された前記色情報および前記位置情報特定ステップによって特定された前記位置情報を、前記モノクロ画像生成ステップによって生成された前記モノクロ画像情報に埋め込んだ印刷情報付モノクロ画像情報を生成する印刷情報埋込ステップと、前記印刷情報埋込ステップによって生成された前記印刷情報付モノクロ画像情報を、電話回線を介して他のファクシミリ装置に送信する送信ステップと、を有することを特徴とする。
【００２３】
また、請求項１７にかかる発明は、画像をモノクロで示すモノクロ画像情報に前記画像の色を示す色情報および前記画像が配置された位置を示す位置情報が埋め込まれた印刷情報付モノクロ画像情報を取得する画像情報取得ステップと、前記画像情報取得ステップによって取得された前記印刷情報付モノクロ画像情報から前記モノクロ画像情報、前記色情報および前記位置情報を抽出する情報抽出ステップと、前記情報抽出ステップによって抽出された前記モノクロ画像情報において、前記位置情報が示す位置に配置された前記画像を前記色情報が示す色で示したカラー画像情報を生成するカラー画像情報生成ステップと、を有することを特徴とする。
【００２４】
また、請求項１８にかかる発明は、画像をモノクロで示すモノクロ画像情報に、前記画像の色を示す色情報および前記画像が配置された位置を示す位置情報が埋め込まれた印刷情報付モノクロ画像情報を他のファクシミリ装置から受信する受信ステップと、前記受信ステップによって受信された前記印刷情報付モノクロ画像情報から前記モノクロ画像情報、前記色情報および前記位置情報を抽出する情報抽出ステップと、前記情報抽出ステップによって抽出された前記モノクロ画像情報において、前記位置情報が示す位置に配置された前記画像を前記色情報が示す色で示したカラー画像情報を生成するカラー画像情報生成ステップと、前記カラー画像情報生成ステップによって生成された前記カラー画像情報を印刷する印刷ステップと、を有することを特徴とする。
【００２５】
また、請求項１９にかかる発明は、請求項１４〜１８のいずれか一つに記載された画像処理方法をコンピュータに実行させることを特徴とする。
【発明の効果】
【００２６】
請求項１にかかる発明によれば、画像を含む原稿情報を取得し、取得された原稿情報に含まれる画像の色を示す色情報を特定し、取得された原稿情報に含まれる画像が配置された位置を示す位置情報を特定し、特定された色情報に基づいて、取得された原稿情報に含まれる画像をモノクロで示すモノクロ画像情報を生成し、生成されたモノクロ画像情報に、色情報および位置情報を埋め込んだ印刷情報付モノクロ画像情報を生成することにより、カラー印刷物を印刷するために必要な情報をモノクロ画像に埋め込むことができるため、カラー画像を出力できない環境にあってもカラー印刷可能な情報を生成することができるという効果を奏する。また、色情報および位置情報は原稿の画像データを構成する画素とは別に埋め込まれるため、鮮明なカラー画像を生成することができるという効果を奏する。
【００２７】
また、請求項２にかかる発明によれば、原稿情報の中の画素値を二値化した二値画像情報を生成し、生成された二値画像情報から同一の画素値を持つ画素の連結したひとまとまりの領域を画像として特定し、画像の色情報を特定し、画像の位置情報を特定することにより、画素単位で色と位置を特定するため、鮮明なカラー印刷物を印刷することができるという効果を奏する。
【００２８】
また、請求項３にかかる発明によれば、抽出された複数の画像の色情報に基づいて、同一色とみなせる範囲か否かを判定し、同一色とみなせる範囲であると判定した場合には、複数の画像を１つの画像として特定することにより、本来複数であった対象画像について１つの色情報および位置情報を保持すればよいため、色情報および位置情報のデータ量を削減することができるという効果を奏する。
【００２９】
また、請求項４にかかる発明によれば、画像の色情報が黒でない場合に、当該色の色情報および、対応する位置情報をモノクロ画像情報に埋め込むことにより、色情報が黒の対象画像についての色情報および位置情報は保持する必要がないため、色情報および位置情報のデータ量を削減することができるという効果を奏する。
【００３０】
また、請求項５にかかる発明によれば、印刷情報付モノクロ画像情報を印刷することにより、カラー印刷物の印刷に必要な情報が埋め込まれたモノクロ印刷物を出力することができるため、モノクロしか印刷できない環境においてもカラー印刷物を印刷するための情報を出力できるという効果を奏する。また、モノクロ画像にしか対応していないファクシミリでモノクロ画像を送信することにより、カラー対応ファクシミリを導入することなく、カラー印刷物を印刷するための情報を送信することができるという効果を奏する。
【００３１】
また、請求項６にかかる発明によれば、画像を含む文書情報を記憶する文書情報記憶手段に記憶された文書情報に含まれる画像の色を示す色情報を特定し、文書情報に含まれる画像が配置された位置を示す位置情報を特定し、色情報に基づいて、文書情報記憶手段に記憶された文書情報に含まれる画像をモノクロで示すモノクロ画像情報を生成し、生成されたモノクロ画像情報に、色情報および位置情報を埋め込んだ印刷情報付モノクロ画像情報を生成することにより、カラー文書をカラー印刷物の印刷に必要な情報が埋め込まれたモノクロ画像として出力することができるため、モノクロ画像でしか印刷できない環境においてもカラー印刷物を印刷するための情報を出力することができるという効果を奏する。また、モノクロ画像にしか対応していないファクシミリでモノクロ画像を送信することにより、カラー対応ファクシミリを導入することなく、カラー印刷物を印刷するための情報を送信することができるという効果を奏する。また、色情報および位置情報は原稿の画像データを構成する画素とは別に埋め込まれるため、鮮明なカラー画像を生成することができるという効果を奏する。
【００３２】
また、請求項７にかかる発明によれば、画像を含む原稿情報を取得し、取得された原稿情報に含まれる画像の色を示す色情報を特定し、取得された原稿情報に含まれる画像が配置された位置を示す位置情報を特定し、特定された色情報に基づいて、取得された原稿情報に含まれる画像をモノクロで示すモノクロ画像情報を生成し、生成されたモノクロ画像情報に、色情報および位置情報を埋め込んだ印刷情報付モノクロ画像情報を生成し、生成された印刷情報付モノクロ画像情報を、電話回線を介して他のファクシミリ装置に送信することにより、カラー印刷物の印刷に必要な情報が埋め込まれたモノクロ画像が送信されるため、送信側または受信側がモノクロ対応のファクシミリ装置であってもカラー印刷物を印刷するための情報を送信することができるという効果を奏する。また、色情報および位置情報は原稿の画像データを構成する画素とは別に埋め込まれるため、鮮明なカラー画像を生成することができるという効果を奏する。
【００３３】
また、請求項８にかかる発明によれば、画像をモノクロで示すモノクロ画像情報に画像の色を示す色情報および画像が配置された位置を示す位置情報が埋め込まれた印刷情報付モノクロ画像情報を取得し、取得された印刷情報付モノクロ画像情報からモノクロ画像情報、色情報および位置情報を抽出し、抽出されたモノクロ画像情報において、位置情報が示す位置に配置された画像を色情報が示す色で示したカラー画像情報を生成することにより、モノクロ画像からカラー印刷物の印刷に必要な情報を抽出することができるため、モノクロ画像からカラー印刷物を印刷することができるという効果を奏する。
【００３４】
また、請求項９にかかる発明によれば、印刷物から印刷情報付モノクロ画像情報を取得することにより、モノクロ画像からカラー印刷物の印刷に必要な情報を抽出することができるため、モノクロ画像からカラー印刷物を印刷することができるという効果を奏する。
【００３５】
また、請求項１０にかかる発明によれば、カラー画像情報を印刷することにより、モノクロ画像からカラー印刷物の印刷に必要な情報を抽出することができるため、モノクロ画像からカラー印刷物を印刷することができるという効果を奏する。
【００３６】
また、請求項１１にかかる発明によれば、画像をモノクロで示すモノクロ画像情報に、画像の色を示す色情報および画像が配置された位置を示す位置情報が埋め込まれた印刷情報付モノクロ画像情報を他のファクシミリ装置から受信し、受信された印刷情報付モノクロ画像情報からモノクロ画像情報、色情報および位置情報を抽出し、抽出されたモノクロ画像情報において、位置情報が示す位置に配置された画像を色情報が示す色で示したカラー画像情報を生成し、生成されたカラー画像情報を印刷することにより、カラー印刷物の印刷に必要な情報が埋め込まれたモノクロ画像を受信することができるため、送信側または受信側がモノクロ対応のファクシミリ装置であってもカラー印刷物を印刷するための情報を受信でき、カラー印刷物を印刷することができるという効果を奏する。
【００３７】
また、請求項１２にかかる発明によれば、第１の画像処理装置は、画像を含む原稿情報を取得し、取得された原稿情報に含まれる画像の色を示す色情報を特定し、取得された原稿情報に含まれる画像が配置された位置を示す位置情報を特定し、特定された色情報に基づいて、取得された原稿情報に含まれる画像をモノクロで示すモノクロ画像情報を生成し、生成されたモノクロ画像情報に、色情報および位置情報を埋め込んだ印刷情報付モノクロ画像情報を生成し、生成された印刷情報付モノクロ画像情報を印刷し、第２の画像処理装置は、第１の画像処理装置によって印刷された印刷物から印刷情報付モノクロ画像情報を取得し、取得された印刷情報付モノクロ画像情報からモノクロ画像情報、色情報および位置情報を抽出し、抽出されたモノクロ画像情報において、位置情報が示す位置に配置された画像を色情報が示す色で示したカラー画像情報を生成することにより、カラー印刷物を印刷するために必要な情報をモノクロ画像に埋め込み、抽出することができるため、カラー画像を出力または送信できない環境にあってもカラー印刷可能な情報を生成または送信することができるという効果を奏する。
【００３８】
また、請求項１３にかかる発明によれば、第１のファクシミリ装置は、画像を含む原稿情報を取得し、取得された原稿情報に含まれる画像の色を示す色情報を特定し、取得された原稿情報に含まれる画像が配置された位置を示す位置情報を特定し、特定された色情報に基づいて、取得された原稿情報に含まれる画像をモノクロで示すモノクロ画像情報を生成し、生成されたモノクロ画像情報に、色情報および位置情報を埋め込んだ印刷情報付モノクロ画像情報を生成し、生成された印刷情報付モノクロ画像情報を、電話回線を介して他のファクシミリ装置に送信し、第２のファクシミリ装置は、印刷情報付モノクロ画像情報を第１のファクシミリ装置から受信し、受信された印刷情報付モノクロ画像情報からモノクロ画像情報、色情報および位置情報を抽出し、抽出されたモノクロ画像情報において、位置情報が示す位置に配置された画像を色情報が示す色で示したカラー画像情報を生成し、生成されたカラー画像情報を印刷することにより、カラー印刷物の印刷に必要な情報が埋め込まれたモノクロ画像を送受信することができるため、送信側または受信側がモノクロ対応のファクシミリ装置であってもカラー印刷物を印刷するための情報を送受信でき、カラー印刷物を印刷することができるという効果を奏する。
【００３９】
また、請求項１４にかかる発明によれば、画像を含む原稿情報を取得し、取得された原稿情報に含まれる画像の色を示す色情報を特定し、取得された原稿情報に含まれる画像が配置された位置を示す位置情報を特定し、特定された色情報に基づいて、取得された原稿情報に含まれる画像をモノクロで示すモノクロ画像情報を生成し、色情報および位置情報を、モノクロ画像情報に埋め込んだ印刷情報付モノクロ画像情報を生成することにより、カラー印刷物を印刷するために必要な情報をモノクロ画像に埋め込むことができるため、カラー画像を出力できない環境にあってもカラー印刷可能な情報を生成することができるという効果を奏する。
【００４０】
また、請求項１５にかかる発明によれば、画像を含む文書情報を記憶する文書情報記憶手段に記憶された文書情報に含まれる画像の色情報を特定し、文書情報記憶手段に記憶された文書情報に含まれる画像の位置情報を特定し、色情報に基づいて、文書情報記憶手段に記憶された文書情報に含まれる画像をモノクロで示すモノクロ画像情報を生成し、色情報および位置情報を、モノクロ画像情報に埋め込んだ印刷情報付モノクロ画像情報を生成することにより、カラー文書をカラー印刷物の印刷に必要な情報が埋め込まれたモノクロ画像として出力することができるため、モノクロ画像でしか印刷できない環境においてもカラー印刷物を印刷するための情報を出力することができるという効果を奏する。また、モノクロ画像にしか対応していないファクシミリでモノクロ画像を送信することにより、カラー対応ファクシミリを導入することなく、カラー印刷物を印刷するための情報を送信することができるという効果を奏する。
【００４１】
また、請求項１６にかかる発明によれば、画像を含む原稿情報を取得し、取得された原稿情報に含まれる画像の色を示す色情報を特定し、取得された原稿情報に含まれる画像が配置された位置を示す位置情報を特定し、色情報に基づいて、原稿情報に含まれる画像をモノクロで示すモノクロ画像情報を生成し、色情報および位置情報を、モノクロ画像情報に埋め込んだ印刷情報付モノクロ画像情報を生成し、生成された印刷情報付モノクロ画像情報を、電話回線を介して他のファクシミリ装置に送信することにより、カラー印刷物の印刷に必要な情報が埋め込まれたモノクロ画像が送信されるため、送信側または受信側がモノクロ対応のファクシミリ装置であってもカラー印刷物を印刷するための情報を送信することができるという効果を奏する。
【００４２】
また、請求項１７にかかる発明によれば、画像をモノクロで示すモノクロ画像情報に画像の色を示す色情報および画像が配置された位置を示す位置情報が埋め込まれた印刷情報付モノクロ画像情報を取得し、取得された印刷情報付モノクロ画像情報からモノクロ画像情報、色情報および位置情報を抽出し、抽出されたモノクロ画像情報において、位置情報が示す位置に配置された画像を色情報が示す色で示したカラー画像情報を生成することにより、モノクロ画像からカラー印刷物の印刷に必要な情報を抽出することができるため、モノクロ画像からカラー印刷物を印刷することができるという効果を奏する。
【００４３】
また、請求項１８にかかる発明によれば、画像をモノクロで示すモノクロ画像情報に、画像の色を示す色情報および画像が配置された位置を示す位置情報が埋め込まれた印刷情報付モノクロ画像情報を他のファクシミリ装置から受信し、受信された印刷情報付モノクロ画像情報からモノクロ画像情報、色情報および位置情報を抽出し、抽出されたモノクロ画像情報において、位置情報が示す位置に配置された画像を色情報が示す色で示したカラー画像情報を生成し、生成されたカラー画像情報を印刷することにより、カラー印刷物の印刷に必要な情報が埋め込まれたモノクロ画像を受信するため、送信側または受信側がモノクロ対応のファクシミリ装置であってもカラー印刷物を印刷するための情報を受信でき、カラー印刷物を印刷することができるという効果を奏する。
【００４４】
また、請求項１９にかかる発明によれば、請求項１４〜１８のいずれか一つに記載された画像処理方法をコンピュータに実行させることにより、請求項１４〜１８に記載された画像処理方法のそれぞれの効果を奏する。
【発明を実施するための最良の形態】
【００４５】
以下に添付図面を参照して、この発明にかかる画像処理装置、ファクシミリ装置、画像処理システム、画像処理方法、および画像処理プログラムの最良な実施の形態を詳細に説明する。
【００４６】
（第１の実施の形態）
第１の実施の形態について、添付図面を参照して説明する。図１は、第１の実施の形態にかかる画像処理システムの構成例を示す説明図である。本実施の形態にかかる画像処理システムは、画像データに情報を埋め込む複合機（ＭＦＰ：Multi Function Peripheral）１００と、画像データを送信するファクシミリ３００と、電話回線４００を介して画像データを受信するファクシミリ５００と、画像データから情報を抽出する複合機２００とから構成されている。
【００４７】
画像処理システム全体の処理の流れを簡単に説明する。複合機１００は、カラー原稿１からカラー画像データを読み取り、読取ったカラー画像データに含まれる対象画像の色情報および位置情報を特定する。複合機１００は、特定された色情報および位置情報を埋め込んだモノクロ画像データを生成し、モノクロ印刷物２として出力する。ファクシミリ装置３００は、モノクロ印刷物２からモノクロ画像データを読込み、電話回線４００を介して、ファクシミリ装置５００に送信する。ファクシミリ装置５００は、モノクロ印刷物３として出力する。複合機２００は、モノクロ印刷物３からモノクロ画像データを読込み、読込んだモノクロ画像データから色情報と位置情報を抽出する。複合機２００は、モノクロ画像データと抽出された色情報および位置情報からカラー画像データを生成して、カラー印刷物４を出力する。
【００４８】
次に、複合機１００の詳細について説明する。図２は、第１の実施の形態にかかる複合機（情報埋込処理）の構成を示すブロック図である。本実施の形態にかかる複合機１００は、原稿情報取得部１０１と、モノクロ画像生成部１０２と、二値画像生成部１０３と、対象画像特定部１０４と、対象画像位置特定部１０５と、対象画像色特定部１０６と、印刷情報埋込部１０７と、印刷部１０８とを備えている。
【００４９】
原稿情報取得部１０１は、読取られたカラー画像データを取得するものである。このカラー画像データは、スキャナによって読取られたカラー原稿をカラー画像データに変換したものである。モノクロ画像生成部１０２は、原稿情報取得部１０１で変換されたカラー画像データからモノクロ画像データを生成するものである。例えば、彩度を下げることによって、カラー画像データをモノクロ画像データに変換する。
【００５０】
二値画像生成部１０３は、原稿情報取得部１０１で変換されたカラー画像データから二値画像データを生成するものである。
【００５１】
対象画像特定部１０４は、二値画像生成部１０３によって生成された二値画像データから対象画像を特定するものである。具体的には、二値画像データから同一の画素値を持つ画素の連結したひとまとまりの領域である連結成分を抽出して対象画像として特定するものである。例えば、色情報が“黒”である画素が連結しているひとかたまりの領域として“Ａ”の文字が抽出された場合には、文字“Ａ”を対象画像として特定する。
【００５２】
対象画像位置特定部１０５は、対象画像特定部１０４によって特定された対象画像が読込んだ原稿において占める領域を示す位置情報を特定するものである。具体的には、特定された対象画像が原稿において占める矩形を求め、矩形の左下と右上のｘ座標とｙ座標を求める。
【００５３】
対象画像色特定部１０６は、対象画像特定部１０４によって特定された対象画像の色情報を特定するものである。具体的には、二値画像データでの対象画像を構成する画素の位置に対応するカラー画像データの画素の色情報を抽出して平均することにより、対象画像の色情報を特定する。
【００５４】
印刷情報埋込部１０７は、対象画像位置特定部１０５で特定された位置情報、および対象画像色特定部１０６で特定された色情報をモノクロ画像生成部１０２で生成したモノクロ画像データに埋め込むものである。具体的には、色情報および位置情報を表すドットパターンやＱＣコードなどを生成して、モノクロ画像データに埋め込むものである。これにより、色情報および位置情報が付加されたモノクロ画像データ、すなわち印刷情報付モノクロ画像データが生成される。
【００５５】
印刷部１０８は、印刷情報埋込部１０７で生成された印刷情報付モノクロ画像データをモノクロ印刷物として印刷するものである。
【００５６】
次に、以上のように構成されている複合機１００による画像処理について説明する。図３は、原稿情報取得部、モノクロ画像生成部、印刷情報埋込部、印刷部が行う画像処理手順を示すフローチャートである。
【００５７】
原稿情報取得部１０１は、スキャナ機能によってカラー原稿１から読取ったカラー画像データを取得する（ステップＳ３０１）。モノクロ画像生成部１０２は、原稿情報取得部１０１で取得したカラー画像データからモノクロ画像データを生成する（ステップＳ３０２）。次に、カラー画像データから印刷情報を特定する（ステップＳ３０３）。ここで、印刷情報とは、対象画像に対する色情報および位置情報をいう。処理の詳細は後述する。
【００５８】
印刷情報埋込部１０７は、モノクロ画像データに印刷情報を埋込んだ印刷情報付モノクロ画像データを生成する（ステップＳ３０４）。印刷部１０８は、印刷情報埋込部１０７で生成した印刷情報付モノクロ画像データを印刷する（ステップＳ３０５）。図５−１は、色情報および位置情報をドットパターンで埋め込んだモノクロ画像データの一例を示す説明図である。ドットパターンは、図で示すように全面に印刷するほかに、予め定められた範囲に印刷するようにしてもよい。図５−２は、色情報および位置情報をＱＣコードで埋め込んだモノクロ画像データの一例を示す説明図である。なお、ドットパターンやＱＣコードに限らず、色情報および位置情報を埋め込むことができる電子透かし技術などを用いてもよい。
【００５９】
このように、カラー原稿をカラー印刷物として印刷するために必要な情報をモノクロ画像で埋め込み、出力することができるため、送信側または受信側がモノクロ対応のファクシミリであっても、カラー印刷に変換可能なモノクロ画像を送信することによって、送信先でカラー印刷物を印刷することができる。
【００６０】
また、モノクロ画像しか印刷できない環境で、カラー印刷物を印刷するための情報がモノクロ印刷物に埋め込まれているので、モノクロ印刷物を得ておき、後にこのモノクロ印刷物に埋め込まれている印刷情報を利用してカラー印刷物を得ることができる。
【００６１】
次に、上述したステップＳ３０３の処理の詳細について説明する。図４は、二値画像生成部、対象画像特定部、対象画像位置特定部、対象画像色特定部、印刷情報埋込部が行う印刷情報特定処理手順を示すフローチャートである。
【００６２】
二値画像生成部１０３は、カラー画像データから二値画像データを生成する（ステップＳ４０１）。図６−１は、スキャナで読込むカラー原稿の一例を示す説明図である。図６−１に示すように、画像データ“ＡＢＣ”は“青”、画像データ“１２３"は“黒”、画像データ“あいう”は“赤”で印刷または描画されている。図６−２は、カラー原稿を二値化処理した結果を示す説明図である。図６−２に示すように、カラー原稿を二値化処理すると、各画像データの色は黒となる。
【００６３】
対象画像特定部１０４は、二値画像データから連結成分を抽出する（ステップＳ４０２）。図７−１は、二値画像データでの連結成分の抽出例を示す説明図である。対象画像特定部１０４は、色情報が“黒”である連結成分７１〜８１を抽出する。ここで、連結成分とは、二値画像データから同一の画素値を持つ画素（例えば色情報が“黒”の画素）が連結しているひとまとまりをいう。
【００６４】
対象画像色特定部１０６は、連結成分ごとに色情報を特定する(ステップＳ４０３)。具体的には、連結成分として抽出された１つ１つの画素に対応する、カラー画像データの画素の画素値を読み出して、連結成分全体の色情報の平均値を求め、連結成分ごとの平均色情報とする。例えば、連結成分７１〜７３は青、連結成分７４〜７６は黒、連結成分７７〜８１は赤が平均色情報として求められる。
【００６５】
対象画像特定部１０４は、隣接する連結成分はあるか否かを判断する（ステップＳ４０４）。図７−１において、例えば連結成分７１に隣接する連結成分を左から右方向に検索し、連結成分７２、７３、さらに７４が検索されたものとする。隣接する連結成分はあると判断された場合には（ステップＳ４０５：Ｙｅｓ）、対象画像特定部１０４は隣接する連結成分の色情報が類似色か否かを判断する（ステップＳ４０６）。
【００６６】
一例として、図７−１において隣接する連結成分７１、７２、７３、７４が類似色か否かを判断する。具体的に、類似色であるか否かを判断するには、各連結成分の色情報であるＲＧＢ成分値（画素値）を比較する。連結成分の色を判断するためには、基準とする色ごとに予め類似色と判定するＲＧＢ値の範囲を定めておき、隣接する連結成分のＲＧＢ値が予め定められたＲＧＢ値の範囲内に含まれる場合には類似色と判断する。
【００６７】
隣接する連結成分の色情報が類似色であると判断された場合には（ステップＳ４０６：Ｙｅｓ）、対象画像特定部１０４は隣接する連結成分を１つの連結成分と特定する（ステップＳ４０７）。例えば、図７−１で隣接する連結成分７１〜７３の色情報は“青”であるため、類似色と判断され、１つの連結成分とされる。しかし、さらに隣接する連結成分７４の色情報は“黒”であるため、連結成分７１〜７３の色情報と類似色とは判断されず、連結成分７４は、連結成分７１〜７３と１つにはされない。
【００６８】
これにより、類似色の複数の連結成分を１つにまとめることができるため、カラー印刷物を出力するために必要な色情報および位置情報のデータ量を削減することができる。
【００６９】
対象画像位置特定部１０５は、連結成分ごとに位置情報を特定する(ステップＳ４０７)。具体的には、連結成分ごとに、連結成分として抽出された画素の領域を示す矩形の原稿に対するｘ座標とｙ座標を位置情報として算出する。図７−２は、連結成分ごとの位置情報である矩形の例を示す説明図である。図７−１の連結成分７１〜７３は、１つの連結成分と判断されたため、矩形８２の座標を位置情報とする。同様に、連結成分７４〜７６は矩形８３、連結成分７７〜８１は矩形８４の座標を位置情報とする。なお、画素の領域は、矩形に限るものではなく、領域を表すことができるものであれば、例えば多角形や円、楕円などであってもよい。
【００７０】
連結成分ごとの色情報および位置情報は、例えば左下座標（Ｘｓ，Ｙｓ）、右上座標（Ｘｅ，Ｙｅ）、Ｒ成分、Ｇ成分、Ｂ成分で表される。これが、連結成分の数だけ算出され、例えば、“６８，１２５，３３８，２２５，１８３，７，５６”、“７０，３５０，５０１，２３５，９，１７，１２”などのように表されることとなる。
【００７１】
ステップＳ４０４において、隣接する連結成分はないと判断された場合には（ステップＳ４０４：Ｎｏ）、ステップＳ４０５において、隣接する連結成分の色情報が類似色でないと判断された場合には（ステップＳ４０５：Ｎｏ）、複数の連結成分を１つにする処理は行わない。
【００７２】
印刷情報埋込部１０７は、連結成分の色情報が“黒”であるか否かを判断する（ステップＳ４０８）。連結成分の色情報が“黒”でないと判断された場合には（ステップＳ４０８：Ｎｏ）、連結成分の色情報および位置情報をモノクロ画像データへの埋め込み対象にする（ステップＳ４０９）。連結成分の色情報が“黒”であると判断された場合には（ステップＳ４０７：Ｙｅｓ）、連結成分の色情報および位置情報をモノクロ画像データへの埋め込み対象としない。色情報が“黒”の画像データを埋め込み対象としないため、連結成分の色情報および位置情報のデータ量を削減することができる。また、色情報が“黒”の画像データについては、色情報を付加しなくてもモノクロ画像データで色情報として“黒”を示すＲＧＢ値が格納されているため、カラー印刷物において黒画像を再現することができる。図８は、色情報および位置情報を埋め込み対象としない連結成分の一例を示す説明図である。連結成分８５は、色情報が“黒”であるため、埋め込み対象から除外している。
【００７３】
なお、本実施の形態では、画像処理装置として複合機１００の場合について説明しているが、複合機に代えて複写機などのスキャン機能と印刷機能を備える装置であってもよい。
【００７４】
次に、複合機２００の詳細について説明する。図９は、第１の実施の形態にかかる複合機（情報抽出処理）の構成を示すブロック図である。本実施の形態にかかる複合機２００は、画像情報取得部２０１と、情報抽出部２０２と、カラー画像生成部２０３と、印刷部２０４とを備えている。
【００７５】
画像情報取得部２０１は、読取られたモノクロ画像データを取得するものである。情報抽出部２０２は、画像情報取得部２０１で取得されたモノクロ画像データから、埋め込まれた色情報および位置情報、原稿のモノクロ画像データを抽出するものである。
【００７６】
カラー画像生成部２０３は、情報抽出部２０２で抽出された色情報、位置情報、モノクロ画像データからカラー画像データを生成するものである。印刷部２０４は、カラー画像生成部２０３で生成されたカラー画像データを印刷するものである。
【００７７】
次に、以上のように構成されている複合機２００による画像処理について説明する。図１０は、画像情報取得部、情報抽出部、カラー画像生成部、印刷部が行う画像処理手順を示すフローチャートである。
【００７８】
画像情報取得部２０１は、色情報および位置情報が埋め込まれた印刷情報付モノクロ画像データを取得する（ステップＳ１００１）。情報抽出部２０２は、画像情報取得部２０１によって取得された印刷情報付モノクロ画像データから、対象画像ごとの色情報、位置情報、原稿のモノクロ画像データを抽出する。具体的には、ドットパターンやＱＣコードで色情報および位置情報を埋め込んでいる場合には、ドットパターンやＱＣコードと、原稿データであるモノクロ画像データをパターン認識や画素値の差異などによって分離する。分離されたドットパターンやＱＣコードを対象画像に対する色情報や位置情報に変換することによって、各情報を抽出する。
【００７９】
カラー画像生成部２０３は、画像情報取得部２０１によって抽出された対象画像ごとの色情報、位置情報、原稿のモノクロ画像データからカラー画像データを生成する（ステップＳ１００３）。具体的には、原稿のモノクロ画像データにおいて、位置情報が示す矩形を特定する。そして、矩形内に存在する黒画素を抽出し、抽出された黒画素の画素値を色情報に示される画素値に置き換える。これによって、カラー画像データが生成される。
【００８０】
印刷部２０４は、カラー画像生成部２０３によって生成されたカラー画像データを印刷する（ステップＳ１００４）。
【００８１】
このように、モノクロ画像からカラー印刷物を出力することができるため、カラー対応ファクシミリがない場合でも、モノクロ対応ファクシミリに送信されたモノクロ画像からカラー印刷物を印刷することができる。
【００８２】
図１１は、本実施の形態にかかる複合機のハードウェア構成を示すブロック図である。本図に示すように、複合機１００、２００は、コントローラ１０とエンジン部（Engine）６０とをＰＣＩ（Peripheral Component Interconnect）バスで接続した構成となる。コントローラ１０は、複合機１００、２００全体の制御と描画、通信、操作部２０からの入力を制御するコントローラである。エンジン部６０は、ＰＣＩバスに接続可能なプリンタエンジンなどであり、たとえば白黒プロッタ、１ドラムカラープロッタ、４ドラムカラープロッタ、スキャナまたはファックスユニットなどである。なお、このエンジン部６０には、プロッタなどのいわゆるエンジン部分に加えて、誤差拡散やガンマ変換などの画像処理部分が含まれる。
【００８３】
コントローラ１０は、ＣＰＵ１１と、ノースブリッジ（ＮＢ）１３と、システムメモリ（ＭＥＭ−Ｐ）１２と、サウスブリッジ（ＳＢ）１４と、ローカルメモリ（ＭＥＭ−Ｃ）１７と、ＡＳＩＣ（Application Specific Integrated Circuit）１６と、ハードディスクドライブ（ＨＤＤ）１８とを有し、ノースブリッジ（ＮＢ）１３とＡＳＩＣ１６との間をＡＧＰ（Accelerated Graphics Port）バス１５で接続した構成となる。また、ＭＥＭ−Ｐ１２は、ＲＯＭ（Read Only Memory）１２ａと、ＲＡＭ(Random Access Memory)１２ｂと、をさらに有する。
【００８４】
ＣＰＵ１１は、複合機１００、２００の全体制御をおこなうものであり、ＮＢ１３、ＭＥＭ−Ｐ１２およびＳＢ１４からなるチップセットを有し、このチップセットを介して他の機器と接続される。
【００８５】
ＮＢ１３は、ＣＰＵ１１とＭＥＭ−Ｐ１２、ＳＢ１４、ＡＧＰ１５とを接続するためのブリッジであり、ＭＥＭ−Ｐ１２に対する読み書きなどを制御するメモリコントローラと、ＰＣＩマスタおよびＡＧＰターゲットとを有する。
【００８６】
ＭＥＭ−Ｐ１２は、プログラムやデータの格納用メモリ、プログラムやデータの展開用メモリ、プリンタの描画用メモリなどとして用いるシステムメモリであり、ＲＯＭ１２ａとＲＡＭ１２ｂとからなる。ＲＯＭ１２ａは、プログラムやデータの格納用メモリとして用いる読み出し専用のメモリであり、ＲＡＭ１２ｂは、プログラムやデータの展開用メモリ、プリンタの描画用メモリなどとして用いる書き込みおよび読み出し可能なメモリである。
【００８７】
ＳＢ１４は、ＮＢ１３とＰＣＩデバイス、周辺デバイスとを接続するためのブリッジである。このＳＢ１４は、ＰＣＩバスを介してＮＢ１３と接続されており、このＰＣＩバスには、ネットワークインターフェース（Ｉ／Ｆ）部なども接続される。
【００８８】
ＡＳＩＣ１６は、画像処理用のハードウェア要素を有する画像処理用途向けのＩＣ（Integrated Circuit）であり、ＡＧＰ１５、ＰＣＩバス、ＨＤＤ１８およびＭＥＭ−Ｃ１７をそれぞれ接続するブリッジの役割を有する。このＡＳＩＣ１６は、ＰＣＩターゲットおよびＡＧＰマスタと、ＡＳＩＣ１６の中核をなすアービタ（ＡＲＢ）と、ＭＥＭ−Ｃ１７を制御するメモリコントローラと、ハードウェアロジックなどにより画像データの回転などをおこなう複数のＤＭＡＣ（Direct Memory Access Controller）と、エンジン部６０との間でＰＣＩバスを介したデータ転送をおこなうＰＣＩユニットとからなる。このＡＳＩＣ１６には、ＰＣＩバスを介してＦＣＵ（Fax Control Unit）３０、ＵＳＢ（Universal Serial Bus）４０、ＩＥＥＥ１３９４（the Institute of Electrical and Electronics Engineers 1394）インターフェース５０が接続される。
【００８９】
ＭＥＭ−Ｃ１７は、コピー用画像バッファ、符号バッファとして用いるローカルメモリであり、ＨＤＤ（Hard Disk Drive）１８は、画像データの蓄積、プログラムの蓄積、フォントデータの蓄積、フォームの蓄積を行うためのストレージである。
【００９０】
ＡＧＰ１５は、グラフィック処理を高速化するために提案されたグラフィックスアクセラレーターカード用のバスインターフェースであり、ＭＥＭ−Ｐ１２に高スループットで直接アクセスすることにより、グラフィックスアクセラレーターカードを高速にするものである。
【００９１】
なお、本実施の形態の複合機で実行される画像処理プログラムは、ＲＯＭ等に予め組み込まれて提供される。
【００９２】
本実施の形態の複合機で実行される画像処置プログラムは、インストール可能な形式又は実行可能な形式のファイルでＣＤ−ＲＯＭ、フレキシブルディスク（ＦＤ）、ＣＤ−Ｒ、ＤＶＤ（Ｄｉｇｉｔａｌ  Ｖｅｒｓａｔｉｌｅ  Ｄｉｓｋ）等のコンピュータで読み取り可能な記録媒体に記録して提供するように構成してもよい。
【００９３】
さらに、本実施の形態の複合機で実行される画像処理プログラムを、インターネット等のネットワークに接続されたコンピュータ上に格納し、ネットワーク経由でダウンロードさせることにより提供するように構成してもよい。また、本実施の形態の複合機で実行される画像処理プログラムをインターネット等のネットワーク経由で提供または配布するように構成してもよい。
【００９４】
本実施の形態の複合機で実行される画像処理プログラムは、上述した各部（原稿情報取得部、モノクロ画像生成部、二値画像生成部、対象画像特定部、対象画像位置特定部、対象画像色特定部、印刷情報埋込部、印刷部、画像情報取得部、情報抽出部、カラー画像生成部など）を含むモジュール構成となっており、実際のハードウェアとしてはＣＰＵ（プロセッサ）が上記ＲＯＭから画像処理プログラムを読み出して実行することにより上記各部が主記憶装置上にロードされ、原稿情報取得部、モノクロ画像生成部、二値画像生成部、対象画像特定部、対象画像位置特定部、対象画像色特定部、印刷情報埋込部、印刷部、画像情報取得部、情報抽出部、カラー画像生成部などが主記憶装置上に生成されるようになっている。
【００９５】
また、本発明は上述した実施の形態に限定されるものではない。他の実施の形態として、以下の実施の形態を説明する。
【００９６】
（第２の実施の形態）
第２の実施の形態について、添付図面を参照して説明する。本実施の形態にかかる画像処理システムは、第１の実施の形態と同様に画像データに情報を埋め込む複合機１２００と、ファクシミリ３００と、電話回線４００を介して画像データを受信するファクシミリ５００と、画像データから情報を抽出する複合機２００とから構成されている。
【００９７】
ここでは、第１の実施の形態と異なる部分のみ説明する。第１の実施の形態と異なる部分は、画像データに情報を埋め込む複合機１２００である。かかる複合機１２００は、ワードプロセッサなどによって生成された文書データからモノクロ画像データを生成し、読取った文書データに含まれる対象画像の色情報および位置情報を特定する。複合機１２００は、特定した色情報および位置情報を埋め込んだモノクロ画像データを生成し、モノクロ印刷物として出力するものである。
【００９８】
本発明が適用される複合機１２００の構成例について説明する。図１２は、第２の実施の形態にかかる複合機（情報埋込処理）の構成を示すブロック図である。本実施の形態の複写機１２００は、操作部１２０１と、文書情報記憶部１２０９と、モノクロ画像生成部１２０２と、対象画像位置特定部１２０５と、対象画像色特定部１２０６と、印刷情報埋込部１０７と、印刷部１０８とを備えている。
【００９９】
ここで、印刷情報埋込部１０７と、印刷部１０８の構成、機能は、第１の実施の形態と同様であるので、説明を省略する。
【０１００】
文書情報記憶部１２０９は、ワードプロセッサなどによって作成した文書データを記憶するものである。操作部１２０１は、原稿情報記憶部１２０９に記憶された文書データに対して印刷情報付モノクロ画像データの印刷の指示を受付けるものである。
【０１０１】
モノクロ画像生成部１２０２は、文書情報記憶部１２０９に記憶された文書データからモノクロ画像データを生成するものである。対象画像色特定部１２０６は、文書情報記憶部１２０９に記憶された文書データに含まれる文字の色情報を特定するものである。
【０１０２】
対象画像位置特定部１２０５は、文書情報記憶部１２０９に記憶された文書データに含まれる文字の位置情報を特定するものである。また、隣接する文字が同一色の色情報である場合には、隣接する文字をひとかたまりの文字として位置情報を特定するものである。
【０１０３】
次に、以上のように構成されている複合機１２００による画像処理について説明する。図１３は、操作部、モノクロ画像生成部、印刷情報埋込部、印刷部が行う画像処理手順を示すフローチャートである。
【０１０４】
操作部１２０１は、文書データに対する印刷情報付モノクロ画像の印刷の指示を受付ける（ステップＳ１３０１）。モノクロ画像生成部１２０２は、文書情報記憶部１２０９に記憶された文書データからモノクロ画像データを生成する（ステップＳ１３０２）。次に、文書データから印刷情報を特定する（ステップＳ１３０３）。処理の詳細は、後述する。
【０１０５】
印刷情報埋込部１０７は、モノクロ画像データに印刷情報を埋込んだ印刷情報付モノクロ画像データを生成する（ステップＳ１３０４）。印刷部１０８は、印刷情報埋込部１０７で生成した印刷情報付モノクロ画像データを印刷する（ステップＳ３０５）。
【０１０６】
このように、カラー文書データをカラー印刷物として印刷するために必要な情報をモノクロ画像に埋め込み、出力することができるため、モノクロでしか印刷できない環境においても、カラー印刷に変換可能なモノクロ印刷物を生成することができる。
【０１０７】
また、送信側または受信側のいずれかでカラー対応のファクシミリがない環境であっても、カラー印刷に転換可能なモノクロ画像を送信することによって、受信側でカラー印刷物を印刷することができる。
【０１０８】
さらに、上述したステップＳ１３０３の処理の詳細について説明する。図１４は、対象画像位置特定部、対象画像色特定部、印刷情報埋込部が行う印刷情報特定処理手順を示すフローチャートである。
【０１０９】
対象画像色特定部１２０６は、文字ごとに色情報を特定する(ステップＳ１４０１)。対象画像位置特定部１２０５は、隣接する文字があるか否かを判断する（ステップＳ１４０２）。隣接する文字があると判断された場合には（ステップＳ１４０２：Ｙｅｓ）、対象画像位置特定部１２０５は隣接する文字の色情報が類似色か否かを判断する（ステップＳ１４０３）。
【０１１０】
隣接する文字の色情報が類似色であると判断された場合には（ステップＳ１４０３：Ｙｅｓ）、対象画像位置特定部１２０５は隣接する文字を１つの文字と特定する（ステップＳ１４０４）。
【０１１１】
このように、類似色の複数の文字の情報を１つの情報にまとめることができるため、カラー印刷物を出力するために必要な色情報および位置情報のデータ量を削減することができる。
【０１１２】
ステップＳ１４０３において、隣接する文字データはないと判断された場合には（ステップＳ１４０３：Ｎｏ）、ステップＳ１４０４において、隣接する文字の色情報が類似色でないと判断された場合には（ステップＳ１４０４：Ｎｏ）、複数の文字を１つにする処理は行わない。対象画像位置特定部１２０５は、文字ごとに位置情報を特定する(ステップＳ１４０５)。
【０１１３】
印刷情報埋込部１０７は、文字の色情報が“黒”であるか否かを判断する（ステップＳ１４０６）。文字の色情報が“黒”でないと判断された場合には（ステップＳ１４０６：Ｎｏ）、文字の色情報および位置情報をモノクロ画像データへの埋め込み対象にする（ステップＳ１４０７）。文字の色情報が“黒”であると判断された場合には（ステップＳ１４０６：Ｙｅｓ）、文字の色情報および位置情報をモノクロ画像データへの埋め込み対象としない。
【０１１４】
このように、色情報が“黒”の文字を埋め込み対象としないため、文字の色情報および位置情報のデータ量を削減することができる。また、色情報が“黒”の文字については、色情報を付加しなくてもモノクロ画像データで色情報として“黒”を示すＲＧＢ値が格納されているため、カラー印刷物において黒画像を再現することができる。
【０１１５】
なお、他の実施の形態として、画像処理装置がファクシミリであってもよい。かかる場合について説明する。図１５は、他の実施の形態にかかる画像処理システムの構成例を示す説明図である。本実施の形態にかかる画像処理システムは、画像データに情報を埋め込み、画像データを送信するファクシミリ１５００と、電話回線４００を介して画像データを受信し、画像データから情報を抽出するファクシミリ１６００とから構成されている。なお、一方が第１の実施の形態にかかる複合機と通常のファクシミリとの構成であってもよい。
【０１１６】
画像処理システム全体の処理の流れを簡単に説明する。ファクシミリ１５００は、カラー原稿１からカラー画像データを読み取り、読取ったカラー画像データに含まれる対象画像の色情報および位置情報を特定する。ファクシミリ１５００は、特定した色情報および位置情報を埋め込んだモノクロ画像データを生成し、生成したモノクロ画像データを、電話回線４００を介して、ファクシミリ１６００に送信する。ファクシミリ１６００は、受信したモノクロ画像データを読込み、読込んだモノクロ画像データから色情報と位置情報を抽出する。ファクシミリ１６００は、モノクロ画像データと抽出された色情報および位置情報からカラー画像データを生成して、カラー印刷物４を出力する。
【０１１７】
ファクシミリ１５００およびファクシミリ１６００の機能、構成は、上述した第１の実施の形態での複合機と通常のファクシミリを合わせた機能、構成と同様であるため、第１の実施の形態の説明を参照し、ここでの説明を省略する。
【０１１８】
このように、本実施の形態にかかるファクシミリは、第１の実施の形態における複合機にファクシミリの機能を備えているため、モノクロ印刷物を出力することなく、印刷情報付モノクロ画像データをファクシミリや複合機に送信することができるため、無駄な印刷を削減することができる。
【０１１９】
また、送信側または受信側がモノクロ対応のファクシミリであっても、カラー印刷に転換可能なモノクロ画像を送信することによって、送信先でカラー印刷物を印刷することができる。
【図面の簡単な説明】
【０１２０】
【図１】第１の実施の形態にかかる画像処理システムの構成例を示す説明図である。
【図２】第１の実施の形態にかかる複合機（情報埋込処理）の構成を示すブロック図である。
【図３】原稿情報取得部、モノクロ画像生成部、印刷情報埋込部、印刷部が行う画像処理手順を示すフローチャートである。
【図４】二値画像生成部、対象画像特定部、対象画像位置特定部、対象画像色特定部、印刷情報埋込部が行う印刷情報特定処理手順を示すフローチャートである。
【図５−１】色情報および位置情報をドットパターンで埋め込んだモノクロ画像データの一例を示す説明図である。
【図５−２】色情報および位置情報をＱＣコードで埋め込んだモノクロ画像データの一例を示す説明図である。
【図６−１】スキャナで読込むカラー原稿の一例を示す説明図である。
【図６−２】カラー原稿を二値化処理した結果を示す説明図である。
【図７−１】二値画像データでの連結成分の抽出例を示す説明図である。
【図７−２】隣接する連結成分を連結して１つの連結成分とした一例を示す説明図である。
【図８】色情報および位置情報を埋め込み対象としない連結成分の一例を示す説明図である。
【図９】第１の実施の形態にかかる複合機（情報抽出処理）の構成を示すブロック図である。
【図１０】画像情報取得部、情報抽出部、カラー画像生成部、印刷部が行う画像処理手順を示すフローチャートである。
【図１１】本実施の形態にかかる複合機のハードウェア構成を示すブロック図である。
【図１２】第２の実施の形態にかかる複合機（情報埋込処理）の構成を示すブロック図である。
【図１３】操作部、モノクロ画像生成部、印刷情報埋込部、印刷部が行う画像処理手順を示すフローチャートである。
【図１４】対象画像位置特定部、対象画像色特定部、印刷情報埋込部が行う印刷情報特定処理手順を示すフローチャートである。
【図１５】他の実施の形態にかかる画像処理システムの構成例を示す説明図である。
【符号の説明】
【０１２１】
１００  １２００  １５００  複合機（情報埋込処理）
２００  １６００  複合機（情報抽出処理）
３００  ５００  ファクシミリ
４００  電話回線
１０１  原稿情報取得部
１０２  １２０２  モノクロ画像生成部
１０３  二値画像生成部
１０４  対象画像特定部
１０５  １２０５  対象画像位置特定部
１０６  １２０６  対象画像色特定部
１０７  印刷情報埋込部
１０８  印刷部
１２０１  操作部
１２０９  文書情報記憶部
２０１  画像情報取得部
２０２  情報抽出部
２０３  カラー画像生成部
２０４  印刷部
【図１】
2007060439.tif 000003
【図２】
2007060439.tif 000004
【図３】
2007060439.tif 000005
【図４】
2007060439.tif 000006
【図５−１】
2007060439.tif 000007
【図５−２】
2007060439.tif 000008
【図６−１】
2007060439.tif 000009
【図６−２】
2007060439.tif 000010
【図７−１】
2007060439.tif 000011
【図７−２】
2007060439.tif 000012
【図８】
2007060439.tif 000013
【図９】
2007060439.tif 000014
【図１０】
2007060439.tif 000015
【図１１】
2007060439.tif 000016
【図１２】
2007060439.tif 000017
【図１３】
2007060439.tif 000018
【図１４】
2007060439.tif 000019
【図１５】
2007060439.tif 000020